(57)【要約】【課題】簡易な構成でコストを増大させることなく、離れた位置に設けられた複数のドアの開閉に応じて作動可能なインターロック機構を提供すること。【解決手段】両開きの第１前面ドア及び第２前面ドアと、側面ドアとを有する筐体に設けられるインターロック機構であって、前記筐体の前面に設けられる軸部材と、前記軸部材に回転可能且つ前記幅方向に固定して設けられる板状の突き当て部材と、前記軸部材を前記側面ドアに向かって押圧すると共に前記突き当て部材を回転方向の一方に付勢する押圧付勢部材とを有する規制部材と、前記第２前面ドアの背面に設けられる押圧爪と、前記第１前面ドアの背面に設けられる規制爪と、前記筐体の前面に設けられ、前記第１前面ドアの背面に設けられているアクチュエータが挿入されて作動するインターロックスイッチと、を有するインターロック機構。【選択図】図４
2015161922.tif 000002
【特許請求の範囲】
【請求項１】
それぞれ回転して開閉可能に設けられた両開きの第１前面ドア及び第２前面ドアと、回転して開閉可能に設けられた側面ドアとを有する筐体に設けられるインターロック機構であって、
前記筐体の前面に設けられ、開閉される前記側面ドアに連動して前記第１前面ドア及び前記第２前面ドアが並ぶ幅方向に揺動する軸部材と、前記軸部材に回転可能且つ前記幅方向に固定して設けられる板状の突き当て部材と、前記軸部材を前記側面ドアに向かって押圧すると共に前記突き当て部材を回転方向の一方に付勢する押圧付勢部材とを有する規制部材と、
前記第２前面ドアの背面に設けられ、前記第２前面ドア及び前記側面ドアが閉じられた状態で、前記突き当て部材を回転方向の他方に押圧する押圧爪と、
前記第１前面ドアの背面に設けられ、前記側面ドア及び前記第２前面ドアのうち少なくとも一方が開けられた状態で前記第１前面ドアが閉じられると前記突き当て部材に突き当たる規制爪と、
前記筐体の前面に設けられ、前記第１前面ドアの背面に設けられているアクチュエータが挿入されて作動するインターロックスイッチと、を有する
ことを特徴とするインターロック機構。
【請求項２】
前記第１前面ドアが閉じられた状態で、前記側面ドアを前記第１前面ドアに固定する固定機構を有する
ことを特徴とする請求項１に記載のインターロック機構。
【請求項３】
前記第２前面ドアの背面に設けられ、前記第２前面ドアが閉じられた状態で、前記第１前面ドア側に突出する鍔部を有することを特徴とする請求項１又は２に記載のインターロック機構。
【請求項４】
前記押圧付勢部材は、ねじりコイルばねであることを特徴とする請求項１から３の何れか一項に記載のインターロック機構。
【請求項５】
前記規制部材は、前記筐体の前面上部に設けられていることを特徴とする請求項１から４の何れか一項に記載のインターロック機構。
【請求項６】
請求項１から５の何れか一項に記載のインターロック機構を有することを特徴とする画像形成装置。
【発明の詳細な説明】
【技術分野】
【０００１】
本発明は、インターロック機構及び画像形成装置に関する。
【背景技術】
【０００２】
開閉可能なドアを有する装置には、ドアが開放された状態で内部の機器が作動しない様に、インターロック機構が設けられる場合がある。インターロック機構は、例えばカバーに設けられているアクチュエータと、装置本体に設けられているインターロックスイッチとを有し、ドアが閉じられてアクチュエータがインターロックスイッチに挿入された時に内部の機器を動作可能な状態にする。装置が複数のドアを有する場合には、ドアごとに個々にインターロック機構を設けることもできるが、部品点数が増えてコストが増大すると共に構成が複雑化する可能性がある。
【０００３】
そこで、装置本体の互いにほぼ直交する側面に設けられている２枚のドアに対して、一系統のインターロック装置で対応可能な構成が開示されている（例えば、特許文献１参照）。
【発明の概要】
【発明が解決しようとする課題】
【０００４】
しかしながら、上記した特許文献１に開示されている構成では、２枚のドアが近接して設けられている必要があり、離れた位置に設けられている複数のドアに対応するのは困難な可能性がある。
【０００５】
本発明は上記に鑑みてなされたものであって、簡易な構成でコストを増大させることなく、離れた位置に設けられた複数のドアの開閉に応じて作動可能なインターロック機構を提供することを目的とする。
【課題を解決するための手段】
【０００６】
本発明の一態様によれば、それぞれ回転して開閉可能に設けられた両開きの第１前面ドア及び第２前面ドアと、回転して開閉可能に設けられた側面ドアとを有する筐体に設けられるインターロック機構であって、前記筐体の前面に設けられ、開閉される前記側面ドアに連動して前記第１前面ドア及び前記第２前面ドアが並ぶ幅方向に揺動する軸部材と、前記軸部材に回転可能且つ前記幅方向に固定して設けられる板状の突き当て部材と、前記軸部材を前記側面ドアに向かって押圧すると共に前記突き当て部材を回転方向の一方に付勢する押圧付勢部材とを有する規制部材と、前記第２前面ドアの背面に設けられ、前記第２前面ドア及び前記側面ドアが閉じられた状態で、前記突き当て部材を回転方向の他方に押圧する押圧爪と、前記第１前面ドアの背面に設けられ、前記側面ドア及び前記第２前面ドアのうち少なくとも一方が開けられた状態で前記第１前面ドアが閉じられると前記突き当て部材に突き当たる規制爪と、前記筐体の前面に設けられ、前記第１前面ドアの背面に設けられているアクチュエータが挿入されて作動するインターロックスイッチと、を有する。
【発明の効果】
【０００７】
本発明の実施形態によれば、簡易な構成でコストを増大させることなく、離れた位置に設けられた複数のドアの開閉に応じて作動可能なインターロック機構を提供できる。
【図面の簡単な説明】
【０００８】
【図１】実施形態における画像形成装置を例示する図である。
【図２】実施形態における画像形成装置のドアが開けられた状態を例示する図である。
【図３】実施形態におけるインターロック機構を例示する上面図である。
【図４】実施形態におけるインターロック機構の概略構成を例示する図である。
【図５】実施形態における固定機構の概略構成を例示する図である。
【図６】実施形態におけるインターロック機構の動作を説明する図である。
【図７】実施形態におけるインターロック機構の動作を説明する図である。
【図８】実施形態におけるインターロック機構の動作を説明する図である。
【発明を実施するための形態】
【０００９】
以下、図面を参照して発明を実施するための形態について説明する。各図面において、同一構成部分には同一符号を付し、重複した説明を省略する場合がある。
【００１０】
図１は、実施形態における画像形成装置１を例示する図である。以下に示す図面において、Ｘ方向は画像形成装置１の幅方向、Ｙ方向は画像形成装置１の奥行方向、Ｚ方向は画像形成装置１の高さ方向を示す。
【００１１】
画像形成装置１は、記録媒体にインクジェット方式で画像を印刷する画像形成部を内蔵するインクジェット記録装置である。なお、画像形成部は、電子写真方式等の他の画像形成方法で画像を形成するものであってもよい。
【００１２】
画像形成装置１は、略直方体状の筐体１０の前面に、それぞれ回転して開閉可能な両開きの第１前面ドア１１及び第２前面ドア１２がＸ方向に並んで設けられている。また、画像形成装置１は、筐体１０の第１前面ドア１１側の側面に、回転して開閉可能な側面ドア１３が設けられている。
【００１３】
図２は、画像形成装置１の第１前面ドア１１、第２前面ドア１２及び側面ドア１３が開けられた状態を例示する図である。
【００１４】
図２に示す様に、第１前面ドア１１及び第２前面ドア１２は、それぞれ筐体１０の側面側に設けられている支軸を中心に、中央から側面に向かって手前側に回転して開く様に設けられている。また、側面ドア１３は、筐体１０の背面側に設けられている支軸を中心に、前面側から背面に向かって外側に回転して開く様に設けられている。
【００１５】
また、画像形成装置１には、筐体１０の内部に画像形成部が設けられており、第１前面ドア１１、第２前面ドア１２及び側面ドア１３のうちの何れかが開けられた状態で画像形成部が作動しない様に、インターロック機構が設けられている。
【００１６】
次に、図３乃至図５に基づいて、インターロック機構１００の構成について説明する。
【００１７】
図３は、実施形態における画像形成装置１を上面から見た透過図であり、インターロック機構１００の概略構成を例示する図である。また、図４は、インターロック機構１００の要部の概略構成を例示する図であり、図５は、第１前面ドア１１と側面ドア１３との固定機構の概略構成を例示する図である。
【００１８】
図３に示す様に、画像形成装置１には、筐体１０の前面側にインターロック機構１００が設けられている。インターロック機構１００は、例えばユーザがハーネス等に接触することが無い様に、筐体１０の上部に設けられている。
【００１９】
インターロック機構１００は、第１前面ドア１１の背面から突出するアクチュエータ１１５、筐体１０の前面に設けられているインターロックスイッチ１８０を有する。
【００２０】
インターロックスイッチ１８０は、画像形成部に接続され、第１前面ドア１１が閉じられてアクチュエータ１１５が挿入された状態で画像形成部の動作を可能にし、第１前面ドア１１が開けられてアクチュエータ１１５が外れた状態では画像形成部を動作させない様に機能する。
【００２１】
また、インターロック機構１００は、図３及び図４に示す様に、規制部材２００、第１前面ドア１１の背面に設けられている規制爪１１１ａ，１１１ｂ，１１１ｃ、第２前面ドア１２の背面に設けられている押圧爪１２１を有する。
【００２２】
規制部材２００は、軸部材１５０、突き当て部材１６０、押圧付勢部材１７０を有する。
【００２３】
軸部材１５０は、少なくとも第１前面ドア１１のＸ方向における幅以上の長さを有し、筐体１０の前面上部にＸ方向に移動可能に設けられている。軸部材１５０は、開閉される側面ドア１３に連動してＸ方向に揺動する。軸部材１５０は、側面ドア１３が閉じられる際に、側面ドア１３側の端部が側面ドア１３の背面に押され、図４に示すＸ１方向に移動する。また、側面ドア１３が開けられると、押圧付勢部材１７０に押圧され、図４に示すＸ２方向に移動する。
【００２４】
突き当て部材１６０は、板状の部材であり、軸部材１５０に、軸部材１５０の軸中心に回転可能且つＸ方向に固定して設けられ、押圧付勢部材１７０により、図４に示すＲ１方向に付勢されている。突き当て部材１６０は、側面ドア１３が閉じられると、軸部材１５０と共にＸ１方向に移動し、第２前面ドア１２が閉じられる際に、第２前面ドア１２の背面に設けられている押圧爪１２１に平板部１６０ａが押圧され、図４に示すＲ２方向に回転する。
【００２５】
押圧付勢部材１７０は、突き当て部材１６０の側面に当接し、突き当て部材１６０と共に軸部材１５０を図４に示すＸ２方向に押圧する。また、押圧付勢部材１７０は、回転可能に設けられている突き当て部材１６０をＲ１方向に付勢する。押圧付勢部材１７０は、例えば、金属線が巻き回されてＸ方向に伸縮するコイル部に軸部材１５０が挿入され、金属線の両端がそれぞれ突き当て部材１６０及び筐体１０に固定されたねじりコイルばねである。
【００２６】
また、インターロック機構１００は、図３及び図５に示す様に、第１前面ドア１１の背面に設けられている固定ピン１１７と、側面ドア１３の背面に設けられている固定カバー１３１とで構成される固定機構を有する。側面ドア１３が閉じられた状態で第１前面ドア１１が閉じられると、固定ピン１１７が側面ドア１３の背面と固定カバー１３１との間に挿入され、側面ドア１３が第１前面ドア１１により固定される。この様な固定機構により、第１前面ドア１１が開けられなければ、側面ドア１３を開けることが出来ない様に構成されている。なお、固定機構としては、側面ドア１３を第１前面ドア１１に固定可能であれば、本実施形態とは異なる構成であってもよい。
【００２７】
さらに、インターロック機構１００は、第２前面ドア１２の背面に、第１前面ドア１１の背面に突出する鍔部１２３を有する。第１前面ドア１１及び第２前面ドア１２が閉じられた状態から第２前面ドア１２が開けられると、鍔部１２３が第１前面ドア１１に引っ掛かかり、第２前面ドア１２に伴って第１前面ドア１１も開けられる。
【００２８】
この様に、画像形成装置１では、全てのドアが閉じられた状態から第２前面ドア１２を開けると、第１前面ドア１１も開けられる様に設けられている。また、上記した様に、側面ドア１３を開けるには、第１前面ドア１１が開けられている必要がある。
【００２９】
したがって、第２前面ドア１２又は側面ドア１３が開けられている場合には、第１前面ドア１１も開いた状態にあり、アクチュエータ１１５がインターロックスイッチ１８０から外れ、画像形成部が動作出来ない状態になっている。また、第１前面ドア１１が開けられている場合には、同様にアクチュエータ１１５がインターロックスイッチ１８０から外れ、画像形成部が動作出来ない状態になっているのは言うまでもない。
【００３０】
この様に、画像形成装置１では、何れかのドアが開けられている場合には、アクチュエータ１１５がインターロックスイッチ１８０から外れ、画像形成部が動作出来ない状態になっている。したがって、何れかのドアが開けられた状態で内蔵している画像形成部が動作することはなく、安全性が確保されている。
【００３１】
次に、第１前面ドア１１、第２前面ドア１２及び側面ドア１３が開けられた状態から全て閉じられ、インターロックスイッチ１８０が作動して画像形成部が動作可能になるまでのインターロック機構１００の動作について説明する。
【００３２】
図６は、第１前面ドア１１、第２前面ドア１２及び側面ドア１３が開けられた状態の画像形成装置１及びインターロック機構１００を例示する図である。
【００３３】
図６に示す様に、側面ドア１３が開けられている場合には、インターロック機構１００の軸部材１５０及び突き当て部材１６０は、押圧付勢部材１７０に押圧されて側面ドア１３側に移動している。また、第２前面ドア１２が開けられている場合には、突き当て部材１６０は押圧付勢部材１７０に付勢され、図４に示すＲ１方向に回転し、平板部１６０ａがＸＺ平面に略平行になっている。
【００３４】
図６に示す状態では、第１前面ドア１１の背面に設けられている規制爪１１１ａ，１１１ｂ，１１１ｃが突き当て部材１６０の平板部１６０ａに突き当たるため、第１前面ドア１１を閉じることは出来ない。そこで、第１前面ドア１１を閉じて画像形成部を動作可能な状態にするためには、まず、側面ドア１３を閉じる必要がある。側面ドア１３が閉じられると、図７に示す様に、軸部材１５０が、側面ドア１３の背面に押されて突き当て部材１６０と共にＸ１方向に移動する。
【００３５】
図７に示す状態では、第１前面ドア１１の背面に設けられている規制爪１１１ｃが突き当て部材１６０の平板部１６０ａに突き当たるため、第１前面ドア１１を閉じることは出来ない。そこで、第１前面ドア１１を閉じる前に、第２前面ドア１２を閉じておく必要がある。
【００３６】
第２前面ドア１２が閉じられると、図８に示す様に、第２前面ドア１２の背面に設けられている押圧爪１２１により、突き当て部材１６０が押圧されてＲ２方向に回転する。突き当て部材１６０が押圧爪１２１により押圧されて回転すると、図３及び図４に示す様に、第１前面ドア１１の背面に設けられている規制爪１１１ｃと突き当て部材１６０とが接触せず、第１前面ドア１１を閉じることが可能になる。
【００３７】
以上で説明した様に、画像形成装置１では、インターロック機構１００により、側面ドア１３及び第２前面ドア１２を閉じた後でなければ、第１前面ドア１１を閉じることが出来ない。また、上記した様に、第１前面ドア１１が先に開けられていなければ、第２前面ドア１２及び側面ドア１３を開けることが出来ない。
【００３８】
この様に、インターロック機構１００は、画像形成装置１の全てのドアが閉じられた状態でなければ、アクチュエータ１１５がインターロックスイッチ１８０に挿入されないため、何れかのドアが開けられている状態で画像形成部を動作させることがない。この様に、本実施形態に係るインターロック機構１００によれば、１組のアクチュエータ１１５及びインターロックスイッチ１８０で、離れた位置に設けられている複数のドアの開閉状態に応じて作動できる。また、この様なインターロック機構１００によれば、複数のドアごとにアクチュエータ及びインターロックスイッチ等を設ける必要がないため、簡易な構成で、コストの増大を招くことなく、画像形成装置１の安全性を確保できる。
【００３９】
なお、インターロック機構１００は、第１前面ドア１１、第２前面ドア１２及び側面ドア１３の開閉検出手段として用いられてもよい。画像形成装置１は、インターロック機構１００の他にドアの開閉検出手段を別途設ける必要がなくなり、部品点数を減らしてコストを低減することが可能になる。
【００４０】
また、インターロック機構１００は、画像形成装置１以外にも、複数のドアを有する様々な装置に適用可能である。
【００４１】
以上、実施形態に係るインターロック機構及び画像形成装置について説明したが、本発明は上記実施形態に限定されるものではなく、本発明の範囲内で種々の変形及び改良が可能である。
【符号の説明】
【００４２】
１  画像形成装置
１０  筐体
１１  第１前面ドア
１２  第２前面ドア
１３  側面ドア
１１１  規制爪
１１５  アクチュエータ
１１７  固定ピン（固定機構）
１２１  押圧爪
１２３  鍔部
１３１  固定カバー（固定機構）
１５０  軸部材
１６０  突き当て部材
１７０  押圧付勢部材
１８０  インターロックスイッチ
１００  インターロック機構
２００  規制部材
【先行技術文献】
【特許文献】
【００４３】
【特許文献１】特開平１０−１６２６８４号公報
【図１】
2015161922.tif 000003
【図２】
2015161922.tif 000004
【図３】
2015161922.tif 000005
【図４】
2015161922.tif 000006
【図５】
2015161922.tif 000007
【図６】
2015161922.tif 000008
【図７】
2015161922.tif 000009
【図８】
2015161922.tif 000010